(57)【要約】  本発明は自動給水が可能な懸架式植木鉢に関するもので、さらに詳しくは、水平部材に複数の植木鉢を吊り下げることができ、浮力を利用して植木鉢に自動に水を供給することができる給水構造を通じて、植物栽培のための管理を容易にする植物栽培システムである。このような本発明は水平部材に吊り下げることができる装着部、及び内部に収容空間を有し、下部に給水孔を備える本体部を含む一つ以上の植木鉢と、開放された上部を通じて内部に土壌と植物を収容し、前記植木鉢に収容される植物植栽部と、外部で供給される水を貯水する貯水空間を備えるが、前記貯水空間の下部に形成され、前記給水孔と連結される給水ホースが装着される排水孔、及び水の水位による浮力によって駆動されて供給孔を開閉する浮力開閉部を備える給水部と；を含む。
2021531830.tif 000002
【特許請求の範囲】
【請求項１】
実質的に同じ高さに設置される水平部材（８０）に吊り下げることができる装着部（１２）、及び内部に収容空間を有し、下部に給水孔（１１ａ）を備える本体部（１１）を含む一つ以上の植木鉢（１０）と、
開放された上部を通じて内部に土壌と植物を収容し、水分の吸収が可能な素材で形成され、下部が前記給水孔（１１ａ）より低い位置に配置されるように前記植木鉢（１０）に収容される植物植栽部（２０）と、
外部で供給される水を貯水する貯水空間を備え、前記貯水空間の下部に形成され、前記給水孔（１１ａ）と連結される給水ホース（７０）が装着される排水孔（４１）、及び水の水位による浮力によって駆動されて供給孔（４３）を開閉する浮力開閉部（４２）を備える給水部（４０）と、を含むことを特徴とする自動給水が可能な懸架式植木鉢。
【請求項２】
前記水平部材（８０）には複数の植木鉢（１０）が吊り下げられ、
前記給水ホース（７０）は、
前記給水孔（１１ａ）と排水孔（４１）とを連結する第１ホース（７１）と、
隣接する植木鉢（１０）の間の給水孔（１１ａ）を連結する第２ホース（７２）とを含み、
前記給水部（４０）は、実質的に同じ高さに配置される複数の植木鉢（１０）に実質的に同じ水位になるように前記第１ホース（７１）及び第２ホース（７２）を通じて水を供給することを特徴とする請求項１に記載の自動給水が可能な懸架式植木鉢。
【請求項３】
前記植木鉢（１０）は、互いに異なる高さに配置される複数の水平部材（８０）に一つ以上吊り下げられ、各水平部材（８０）別に吊り下げられる植木鉢（１０）に対する給水部（４０）の間は供給ホース（６０）を通じて相互連結されることを特徴とする請求項２に記載の自動給水が可能な懸架式植木鉢。
【請求項４】
前記植物植栽部（２０）の上部には内部に収容された植物及び土壌の流出が防止されるように狭くなるネック部（２１）が形成され、前記ネック部（２１）の外部に沿って前記植木鉢（１０）の装着部（１２）に連結される離脱防止部（３０）がさらに含まれることを特徴とする請求項１に記載の自動給水が可能な懸架式植木鉢。
【請求項５】
前記植木鉢（１０）の内周面には、前記植物植栽部（２０）との間隙を形成するための突起（１１ｂ）が形成されることを特徴とする請求項１に記載の自動給水が可能な懸架式植木鉢。
【発明の詳細な説明】
【技術分野】
【０００１】
本発明は自動給水が可能な懸架式植木鉢に関し、より詳しくは、水平部材に複数の植木鉢を吊り下げることができ、浮力を利用して自動的に植木鉢に水を供給した給水構造を通じて、植物栽培のための管理を容易にする植物栽培システムである。
【背景技術】
【０００２】
最近、微小粒子状物質による問題が台頭されるにつれて室内空気浄化効果と心理的安定効果を得るために植物の需要が増加しており、都市環境の中で自然親和的雰囲気を演出するために多くの商業空間で植物が栽培している。
【０００３】
このように植物の需要が漸次に増加しており、植物を利用したインテリアーも脚光を浴びている。植物を利用したインテリアーをプランテリアと称するが、プランテリアにおいて空間の活用及び植物をまじめな管理で最上の状態に保持して室内の雰囲気を生かすことが非常に重要である。
【０００４】
しかしながら、室内空間の構造及び形態が非常に多様であり、それぞれ大きさが制限された室内空間でインテリアーのための植物が植栽された植木鉢の配置は室内空間を減小させるだけでなく、植木鉢の構造上、底に配置するしかないという限界があり、ベランダのような欄干を利用したインテリアーに困難があるためインテリアーの多様性の具現に限界があった。
【０００５】
また、植物の栽培において定期的な給水が非常に重要な要素で、適時に給水が行われない場合、植物が萎びたり枯死されて見掛け上悪影響を与えてしまう。
【０００６】
このような問題を解決するための従来技術として、大韓民国公開特許第１０−２０１８−００４６６２３公報における「改良された給水構造を有する多段式植物栽培装置」には多様な植物を狭い空間で栽培可能にした改良された給水構造を有する多段式植物栽培装置が開示されている。
【０００７】
このような植物栽培装置は狭い空間で複数の植木鉢を栽培可能に改良された栽培装置であり、水の供給が上下に行われて上部植栽ポットが設定水位に合う貯蔵水位に到逹すれば追加供給される水を下部の植栽ポットに供給する方法で栽培装置の具現が可能になる。
【０００８】
しかしながら、従来技術は限定された植栽ポット内のみで植物植栽が可能で、植木鉢を設置することができる空間が限定的であるという問題があるため、植木鉢の配置において創意的な空間活用に困難があるだけでなく、設計された植栽ポット以上の植木鉢の配置を具現するには困難があり、外部の衝撃によって植木鉢が落下されて破損される限界がある。
【０００９】
また、既に植栽された植物が枯死されたり急速な成長により植木鉢から分離が必要な時一つの植木鉢で長年成長して来た植物の土壌は堅い状態になって分離が容易でないという短所がある。
【先行技術文献】
【特許文献】
【００１０】
【特許文献１】大韓民国公開特許第１０−２０１８−００４６６２３公報（２０１８０５０９）
【発明の概要】
【発明が解決しようとする課題】
【００１１】
本発明は上記のような問題を解決するために創出されたもので、本発明の目的は、多様な構造の空間に設置が可能であり、水の水位を調節して、自動的に植木鉢に水を供給する給水構造を有することにより、複数の植木鉢を便利に管理することができる自動給水が可能な懸架式植木鉢を提供することである。
【課題を解決するための手段】
【００１２】
上記のような目的のための本発明は、実質的に同じ高さに設置される水平部材に吊り下げることができる装着部、及び内部に収容空間を有し、下部に給水孔を備える本体部を含む一つ以上の植木鉢と、開放された上部を通じて内部に土壌と植物を収容し、水分の吸収が可能な素材で形成され、下部が前記給水孔より低い位置に配置されるように前記植木鉢に収容される植物植栽部と、外部で供給される水を貯水する貯水空間を備え、前記貯水空間の下部に形成され、前記給水孔と連結される給水ホースが装着される排水孔、及び水の水位による浮力によって駆動されて供給孔を開閉する浮力開閉部を備える給水部とで構成される。
【００１３】
この時、前記水平部材には複数の植木鉢が吊り下げられ、前記給水ホースは前記給水孔と排水孔とを連結する第１ホースと、隣接する植木鉢の間の給水孔を連結する第２ホースとを含み、前記給水部は、実質的に同じ高さに配置される複数の植木鉢に実質的に同じ水位になるように前記第１ホース及び第２ホースを通じて水を供給することを特徴とすることが好ましい。
【００１４】
また、前記植木鉢は、互いに異なる高さに配置される複数の水平部材に一つ以上吊り下げられ、各水平部材別に吊り下げられる植木鉢に対する給水部の間は供給ホースを通じて相互連結されることを特徴とすることが好ましい。
【００１５】
また、前記植物植栽部の上部には内部に収容された植物及び土壌の流出が防止されるように狭くなるネック部が形成され、前記ネック部の外部に沿って前記植木鉢の装着部に連結される離脱防止部がさらに含まれることを特徴とすることが好ましい。
【００１６】
また、前記植木鉢の内周面には、前記植物植栽部との間隙を形成するための突起が形成されることを特徴とすることが好ましい。
【発明の効果】
【００１７】
本発明は複数の植木鉢を吊り下げることができる水平部材を通じて、狭い空間で複数の植物を配置して栽培することができ、高さが互いに異なる水平部材の植木鉢にも活用ができ、リング或いは紐の結合手段を通じて平面、曲面などの空間にも設置することができるので、自由な配置が可能であり、設置空間に対する構造の制約が少ないという利点がある。
【００１８】
また、本発明は浮力を利用した給水構造を備えることにより、水の水位によって自動的に水を供給するので、周期的に水を供給する煩雑さを解消し、植木鉢内の水位を調節して水があふれることを防止して便利に複数の植物を管理することができるという効果を奏する。
【００１９】
また、本発明は植物と土壌を収容する植物植栽部に形成されたネック部が植物及び土壌の流出を防止し、他の植木鉢に植物を移動することが容易であるという長所がある。
【００２０】
また、本発明は植木鉢の内側面に形成された突起の間の空間を通じて酸素を供給し、湿度を調節して、植物が正常に成長することができる環境を構成することができるという効果を奏する。
【図面の簡単な説明】
【００２１】
【図１】本発明による自動給水が可能な懸架式植木鉢の斜視図である。
【図２】図１の分解された状態を示した斜視図である。
【図３】本発明の１実施例による柱に設置された状態を示した斜視図である。
【図４】本発明による植物栽培システムの設置構造の縦断面を示した断面図である。
【図５】本発明による植物栽培システムの給水構造の縦断面を示した断面図である。
【図６】本発明による植物栽培システムの植木鉢を上側で見た図面である。
【図７】本発明による植物栽培システムの使用状態図である。
【図８】本発明の２実施例による多様な水平部材に設置された状態を示した斜視図である。
【発明を実施するための形態】
【００２２】
以下、添付された図面を参照して本発明による自動給水が可能な懸架式植木鉢の構成を具体的に説明する。
【００２３】
図１は本発明による自動給水が可能な懸架式植木鉢の斜視図であり、図２は図１の分解された状態を示した斜視図であり、図３は本発明の１実施例による柱に設置された状態を示した斜視図であり、図４は本発明による植物栽培システムの設置構造の縦断面を示した断面図であり、図５は本発明による植物栽培システムの給水構造の縦断面を示した断面図であり、図６は本発明による植物栽培システムの植木鉢を上側で見た図面であり、図７は本発明による植物栽培システムの使用状態図であり、図８は本発明の２実施例による多様な水平部材に設置された状態を示した斜視図である。
【００２４】
図１〜図８に示したように、本発明は自動給水が可能な懸架式植木鉢に関し、ベランダ或いは欄干などの水平部材の空間に複数の植木鉢を設置し、水の水位によるボールタップの駆動によって水位の低い植木鉢に水を自動に供給し、それにより、水供給の煩雑さがないようにして植物栽培管理を容易にすることができる植物栽培システムである。
【００２５】
このために、基本的に装着部１２及び本体部１１を含む一つ以上の植木鉢１０と、土壌と植物を収容する植物植栽部２０と、水の供給を管理する給水部４０とで構成される。
【００２６】
前記植木鉢１０は、実質的に同じ高さに設置される水平部材８０に吊り下げることができる装着部１２と、内部に収容空間を有し、下部に給水孔１１ａを備える本体部１１とで構成される。
【００２７】
前記植木鉢１０は多様な形態の水平部材に活用することができる。図１に示したように、柱にワイヤ８２を巻いて形成される水平部材で形成されてもよく、図８（ａ）に示したように、同じ高さを有する欄干の水平部材で形成されてもよく、図８（ｂ）に示したように、高さが互いに異なる欄干の水平部材の構造で形成されてもよい。
【００２８】
前記柱にワイヤ８２を巻いて形成される水平部材８０はワイヤ８２が柱から滑り落ちることを防止し、ワイヤ８２と柱との間に前記装着部１２が固定されることができる空間を形成するために前記柱にゴムパッキング８１が介在された状態で前記ワイヤ８２を設置することが好ましい。
【００２９】
前記本体部１１の上端にはリングや紐を吊り下げることができる一つ以上の孔状の結合孔１１ｃが形成され、高さが互いに異なる欄干の水平部材８０である場合には前記結合孔１１ｃを通じて紐で吊り下げて紐の長さを調節して前記植木鉢１０と水平部材８０との間の距離を調節し、それにより互いに同じ高さに植木鉢１０が設置されるようにする。それにより前記植木鉢１０の間に連結された前記給水ホース７０が水平をなすようにして複数の植木鉢を同じ水位に管理することができる。
【００３０】
前記水平部材８０に植木鉢１０を固定のために、前記植木鉢１０の上側には「┐」状の一つ以上の前記装着部１２が形成され、この時、前記装着部１２と前記本体部１１との間の間隙が狭すぎる場合、設置空間の構造に制約が大きいので、前記間隙に間隔を開けることが好ましい。
【００３１】
前記本体部１１は内部に収容空間を有し、前記植木鉢１０の下側に形成された給水ホース７０を通じて排水孔４１と連結される給水孔１１ａを備える。
【００３２】
前記給水孔１１ａは前記本体部１１と前記植物植栽部２０との間の空の空間に形成されて、植物植栽部２０の土壌によって水路が塞がらないようにして、前記給水ホース７０を通じて水が円滑に供給されるようにする。
【００３３】
前記植物植栽部２０は開放された上部を通じて内部に土壌と植物を収容し、袋状に形成されて土壌と植物を含んだ状態で前記植木鉢１０の内部に収容される。
【００３４】
この時、前記植物植栽部２０の下部は前記給水孔１１ａより低い位置に配置されるようにして、前記植物植栽部２０の下部が前記給水孔１１ａから供給された水に浸るようにする。前記植物植栽部２０の材質は水分の吸収が可能な素材であるので、前記給水孔１１ａから供給された水を吸収して収容された土壌と植物に水分を供給することができる。
【００３５】
一般に、水路が形成されている植木鉢に水が供給されると、土壌が水と混じられて流れるようになり、漸次に水路に積層されながら水路を塞いで、水の円滑な供給を遮断するが、前記植物植栽部２０は水を吸収する機能と同時に水の流入及び流出は自在であるものの土壌の排出は防止して、フィルターの役割を果たしながら前記問題の発生を防止する役割を果たす。
【００３６】
また、前記植物植栽部２０が前記植木鉢１０に設置された状態で前記植木鉢１０を水平部材８０に吊り下げると、前記植木鉢１０の傾斜が発生するので、この時、植物と土壌の流出を防止するように土壌の上部が位置した所で狭くなる形態でネック部２１を形成する。
【００３７】
前記ネック部２１の外部に沿って前記植木鉢１０の装着部１２に連結される離脱防止部３０は、図６（ａ）に示したように、一側が開放されたリング形態に形成され、開放された側の両端部に外力を加える場合、間隔が狭くなった両端部を二つの装着部１２に挿入し、外力が除去されると同時に有する復元力を通じて前記二つの装着部１２に固定される。
【００３８】
この時、前記離脱防止部３０は弾性を有するワイヤ素材で形成されることが好ましい。
【００３９】
二つの装着部１２で構成された場合には、上記のように、一側が開放されたリング状の離脱防止部３０で形成され、一つの装着部１２で構成された離脱防止部３０の場合には、図６（ｂ）に示したように、両端部が交差するＸ字状に形成される。
【００４０】
この時、前記離脱防止部３０に引っ張る力を加えて変形を与えて前記ネック部２１の外側を囲み、外力を取り除けば本来の形態に復元する弾性力が発生して両端部がＸ字状に交差して、一つの装着部１２に固定される。
【００４１】
前記離脱防止部３０を通じて前記植物植栽部２０が植木鉢に安定的に固定されるので、外部の衝撃によって前記植物植栽部２０が固定位置から分離して落下しないようにし、他人が任意に離脱することを防止し、土壌が飛散されたり流れ落ちることを防止する。
【００４２】
前記突起１１ｂは前記植木鉢１０の内周面に形成され、前記植物植栽部２０との間隙を形成するために構成され、前記間隙を通じて酸素を供給し水分を調節して過湿を防止することにより、植物が正常に成長することができる環境にする。
【００４３】
前記給水部４０は外部で供給される水を貯水する貯水空間を備えるが、前記貯水空間の下部に形成され、前記給水孔１１ａと連結される給水ホース７０が装着される排水孔４１を形成する。
【００４４】
前記排水孔４１は円滑な水の供給のために供給孔４３と対角を成し、供給孔４３より低い位置に形成されることが好ましい。
【００４５】
給水部４０の左側に形成された前記供給孔４３は前記供給部５０と連結される供給ホース６０を装着し、前記給水部４０の右側に形成された前記排水孔４１は前記給水孔１１ａと連結される給水ホース７０を装着し、前記給水部４０内の水の水位によるボールタップ４２ａの駆動によって供給孔４３を開閉する浮力開閉部４２を備える。
【００４６】
前記給水部４０は前記供給部５０から供給ホース６０を通じて水が供給され、前記給水部４０に備えられたボールタップ４２ａは浮力開閉部４２に延長形成される。前記給水部４０の水位によって前記ボールタップ４２ａが上下に移動することにより、前記供給ホース６０と連結される供給孔４３を開閉する浮力開閉部４２を通じて水の供給を管理して水の水位を調節することができる。
【００４７】
一方、本発明は図５（ｂ）のように前記供給部５０を含まずに、水道管に前記供給ホース６０を直接連結して、前記給水部４０に直接水を供給することもできる。
【００４８】
前記給水ホース７０は、前記給水孔１１ａと前記排水孔４１を連結する第１ホース７１と、隣接する植木鉢１０の間の給水孔１１ａを連結する第２ホース７２とを含む。
【００４９】
前記第１ホース７１は前記給水部４０から前記植木鉢１０に水を供給するようにし、前記第２ホース７２は隣接した植木鉢に水を供給するので、前記第１ホース７１及び第２ホース７２を通じて実質的に同じ高さに配置される複数の植木鉢に実質的に同じ水位になるように水が供給される。
【００５０】
互いに異なる高さに配置される複数の水平部材８０に一つ以上吊り下げられた植木鉢の給水部４０の間は供給ホース６０を通じて相互連結されるように構成されて、前記供給ホース６０を通じて高さの異なる各水平部材の給水部４０に水を供給する。
【００５１】
本発明による植物栽培システムの給水供給作動について説明すれば、図７に示したように、外部から前記供給部５０に供給された水は前記供給ホース６０を通じて給水部４０に水を供給する。この時、前記給水部４０のボールタップ４２ａの駆動によって前記供給ホース６０と連結される供給孔４３を開閉する浮力開閉部４２を通じて水位を調節することができる。
【００５２】
前記給水部４０の水位が基準水位より高くなると、図７（ａ）に示したように、前記浮力開閉部４２と連結されたボールタップ４２ａが上側に移動して前記浮力開閉部４２を閉め、前記供給ホース６０から水の供給が中断される。従って前記給水部４０のボールタップ４２ａの駆動によって前記給水部４０は前記供給部５０から設定された基準水位までに水が供給されるようにして、水位を前記給水部４０に供給された水は第１ホース７１を通じて前記第１ホース７１の高さよりも水位の低い植木鉢に水が伝達されて、第２ホース７２を通じて植木鉢の間で水が伝達されて、複数の植木鉢が同じ水位を有するように水を供給することができる。
【００５３】
前記植木鉢１０に水を供給することにより前記給水部４０の水位が低くなる場合、図７（ｂ）に示したように、前記ボールタップ４２ａが下側に移動して前記浮力開閉部４２の上側を開いて、前記供給孔４３を開放することにより、前記供給ホース６０から水が供給されて前記給水部４０の水位を管理しながら自動に水が供給されることができる。
【００５４】
従って、植物栽培システムは自動給水構造を通じて自動的に植木鉢に水を供給して所定の水の水位を維持するので、水の供給による煩雑さを減小し、容易に複数の植物を栽培することができる。
【００５５】
以上のように、本発明の権利は上で説明された実施例に限定されず、特許請求範囲の記載によって定義され、本発明の分野において通常の知識を有する者が特許請求範囲に記載された権利の範囲内で多様な変形と改作をすることができることは自明である。
【００５６】
実施形態
実質的に同じ高さに設置される水平部材８０に吊り下げることができる装着部１２、及び内部に収容空間を有し、下部に給水孔１１ａを備える本体部１１を含む一つ以上の植木鉢１０と、
開放された上部を通じて内部に土壌と植物を収容し、水分の吸収が可能な素材で形成され、下部が前記給水孔１１ａより低い位置に配置されるように前記植木鉢１０に収容される植物植栽部２０と、
外部で供給される水を貯水する貯水空間を備え、前記貯水空間の下部に形成され、前記給水孔１１ａと連結される給水ホース７０が装着される排水孔４１、及び水の水位による浮力によって駆動されて供給孔４３を開閉する浮力開閉部４２を備える給水部４０と、を含むことを特徴とする自動給水が可能な懸架式植木鉢。
【符号の説明】
【００５７】
１０：植木鉢  １１：本体部
１１ａ：給水孔  １１ｂ：突起
１１ｃ：結合孔  １２：装着部
２０：植物植栽部  ２１：ネック部
３０：離脱防止部  ４０：給水部
４１：排水孔  ４２：浮力開閉部
４２ａ：ボールタップ  ４３：供給孔
５０：供給部  ６０：供給ホース
７０：給水ホース  ７１：第１ホース
７２：第２ホース  ８０：水平部材
８１：ゴムパッキング  ８２：ワイヤ
【図１】
2021531830.tif 000003
【図２】
2021531830.tif 000004
【図３】
2021531830.tif 000005
【図４】
2021531830.tif 000006
【図５（ａ）】
2021531830.tif 000007
【図５（ｂ）】
2021531830.tif 000008
【図６（ａ）】
2021531830.tif 000009
【図６（ｂ）】
2021531830.tif 000010
【図７（ａ）】
2021531830.tif 000011
【図７（ｂ）】
2021531830.tif 000012
【図８（ａ）】
2021531830.tif 000013
【図８（ｂ）】
2021531830.tif 000014
【国際調査報告】
2021531830.tif 000015
2021531830.tif 000016
2021531830.tif 000017
2021531830.tif 000018